(57)【要約】【課題】  ヘッドホンを使用しなくても、外部の音に打ち消されることなく、必要な音を演奏者が聴くことができるようにする。【解決手段】  演奏操作部（演奏操作スイッチ１２）の演奏操作に応じた楽音を発音する楽器において、演奏者が演奏操作する際に身体の一部が接触し又は身体の一部を接触させ得る位置に骨伝導スピーカ２７を設ける。骨伝導スピーカ２７には、マイクロフォン１４及びピックアップ装置１５によってピックアップされた演奏音信号、音源回路１３などによって生成された他のパートの演奏音信号、伴奏音信号、リズム音信号、テンポを表すメトロノーム音信号などが導かれる。【選択図】  図１
2010066640.tif 000002
【特許請求の範囲】
【請求項１】
演奏操作部の演奏操作に応じた楽音を発音する楽器において、
演奏者が前記演奏操作部を演奏操作する際に身体の一部が接触し又は身体の一部を接触させ得る位置に骨伝導スピーカを設け、
前記発音される楽音に対応した楽音信号を前記骨伝導スピーカに導くようにしたことを特徴とする楽器。
【請求項２】
前記楽器は、前記演奏操作部の演奏操作に応じて電気的に楽音信号を生成する楽音信号生成手段を備え、
前記生成された電気的な楽音信号を前記骨伝導スピーカに導くようにした請求項１に記載した楽器。
【請求項３】
前記楽器は、振動体の機械的な振動により空気を直接振動させて楽音を発音するものであり、
前記機械的振動又は空気振動を電気信号に変換して前記骨伝導スピーカに導くようにした請求項１に記載した楽器。
【請求項４】
演奏操作部の演奏操作に応じた楽音を発音する楽器において、
演奏者が前記演奏操作部を演奏操作する際に身体の一部が接触し又は身体の一部を接触させ得る位置に骨伝導スピーカを設け、
前記発音される楽音とは独立した音信号を前記骨伝導スピーカに導くようにしたことを特徴とする楽器。
【請求項５】
演奏操作部の演奏操作に応じた楽音を発音する楽器において、
演奏者が前記演奏操作部を演奏操作する際に身体の一部が接触し又は身体の一部を接触させ得る位置に配置した骨伝導スピーカと、
前記発音される楽音に対応した楽音信号又は前記発音される楽音とは独立した音信号を前記骨伝導スピーカに選択的に導く選択手段と
を設けたことを特徴とする楽器。
【発明の詳細な説明】
【技術分野】
【０００１】
本発明は、演奏操作部の演奏操作に応じて、機械的又は電気的に生成した楽音を発音する楽器に関する。
【背景技術】
【０００２】
従来から、振動体の機械的な振動により空気を直接振動させて楽音を発音する自然楽器はよく知られている。具体的には、弦、響板などの振動体の機械的な振動により空気を直接振動させて楽音を発音するバイオリン、ビオラ、チェロ、コントラバスなどの弦楽器、及びリード、マウスピース、唇などの振動体の機械的な振動により空気を直接振動させて楽音を発音するトランペット、サクソフォン、クラリネット、フルート、リコーダなどの管楽器はよく知られている。
【０００３】
一方、近年、例えば、下記特許文献１，２に示されているように、前記自然楽器である弦楽器及び管楽器による大きな音量の楽音を外部に発音させないこと（すなわち楽器から発音される楽音を消音すること）、発音される楽音に種々の変化を与えることなどを目的として、電気的に楽音信号を生成してスピーカ、ヘッドホンなどの電気音響変換器を介して楽音を発音させる電気弦楽器、電気管楽器なども発達してきている。
【特許文献１】特開２００８−８９２４号公報
【特許文献２】特開２００７−１７１４７７号公報
【発明の開示】
【０００４】
上記のような従来の自然楽器又は電気楽器を用いて合奏をする場合、他人が演奏する楽器から発音される楽音により、自分が演奏する楽器の楽音が打ち消されてしまい、自分が演奏する楽器の楽音を把握し難いことがある。また、初心者にとっては、多くの楽器音のために、リズムを把握し難くいこともある。また、前記大きな音量の楽音を外部に発音させないことを目的すなわち消音を目的とした電気楽器においては、自分の演奏による楽音を聴くためにヘッドホンを使用しなければならないという問題もある。また、この消音を目的とした電気楽器を、他の伴奏音及びリズム音を聴きながら演奏したい場合も、伴奏音及びリズム音をヘッドホンを介して聴く必要がある。さらに、演奏者が難聴者である場合には、自分及び他人の演奏音を聴き取り難く、良好な演奏を行えないという問題もある。
【０００５】
本発明は前記問題に対処するためになされたもので、その目的は、種々の環境下で、聴取したい音を簡単に聴くことができる楽器を提供することにある。
【０００６】
前記目的を達成するために、本発明の特徴は、演奏操作部の演奏操作に応じた楽音を発音する楽器において、演奏者が演奏操作部を演奏操作する際に身体の一部が接触し又は身体の一部を接触させ得る位置に骨伝導スピーカを設け、前記発音される楽音に対応した楽音信号を骨伝導スピーカに導くようにしたことにある。この場合、例えば、前記楽器は、演奏操作部の演奏操作に応じて電気的に楽音信号を生成する楽音信号生成手段を備え、前記生成された電気的な楽音信号を骨伝導スピーカに導くようにするとよい。また、前記楽器は、振動体の機械的な振動により空気を直接振動させて楽音を発音するものであり、前記機械的振動又は空気振動を電気信号に変換して骨伝導スピーカに導くようにしてもよい。
【０００７】
上記のように構成した本発明においては、演奏操作部の演奏操作に応じた楽音に対応した楽音信号が骨伝導スピーカに導かれて、前記楽音を、外耳及び中耳を介さず、内耳に直接到達させることができる。したがって、他人と合奏する場合、他人の演奏音によって自分の演奏音が打ち消されることなく、自分の演奏による楽音を確実に把握することができ、他人との合奏がし易くなる。また、消音を目的とした電気楽器においては、自分の演奏による楽音を聴くためにヘッドホンを使用しなくても、自分の演奏による楽音を簡単に聴くことができるようになる。さらには、難聴者であっても、自分の演奏音を確実に聴くことができ、良好な演奏を行えるようになる。
【０００８】
また、本発明の他の特徴は、演奏操作部の演奏操作に応じた楽音を発音する楽器において、演奏者が演奏操作部を演奏操作する際に身体の一部が接触し又は身体の一部を接触させ得る位置に骨伝導スピーカを設け、前記発音される楽音とは独立した音信号を骨伝導スピーカに導くようにしたことにある。この場合、骨伝導スピーカに導かれる音信号として、他のパートの演奏音信号、伴奏音信号、リズム音信号などの、他人の演奏による楽音信号又は自動的に生成される楽音信号などを採用できる。さらには、テンポを表すメトロノーム音などの演奏補助音に対応した音信号を採用することもできる。
【０００９】
この本発明の他の特徴においては、自分の演奏音とは独立した音信号が骨伝導スピーカに導かれて、前記楽音を、外耳及び中耳を介さず、内耳に直接到達させることができる。したがって、前記独立した音信号として、他のパートの演奏音信号、伴奏音信号、リズム音信号などの、他人の演奏による楽音信号又は自動的に生成される楽音信号などを採用すれば、他のパートとの合奏に合わせて自分の演奏を良好に行えるようになる。また、テンポを表すメトロノーム音などの演奏補助音に対応した音信号を採用すれば、曲のテンポに合わせて自分の演奏を良好に行えるようになる。これらの場合も、消音を目的とした電気楽器においては、ヘッドホンを使用しなくも自分の演奏音とは異なる音を簡単に聴くことができるようになるとともに、難聴者であっても自分の演奏音とは異なる音を簡単に聴くことができるようになり、良好な演奏を行えるようになる。
【００１０】
さらに、本発明の他の特徴は、演奏操作部の演奏操作に応じた楽音を発音する楽器において、演奏者が演奏操作部を演奏操作する際に身体の一部が接触し又は身体の一部を接触させ得る位置に配置した骨伝導スピーカと、前記発音される楽音に対応した楽音信号又は前記発音される楽音とは独立した音信号を骨伝導スピーカに選択的に導く選択手段とを設けたことにある。この場合も、前記のように、楽器から発音される楽音に対応した楽音信号として、演奏操作部の演奏操作に応じて楽音信号生成手段で電気的に生成した楽音信号を骨伝導スピーカに導くようにしてもよいし、発音される楽音に対応した振動体の機械的振動を電気信号に変換して骨伝導スピーカに導くようにしてもよい。また、楽器から発音される楽音とは独立した音信号としては、他のパートの演奏音信号、伴奏音信号、リズム音信号などの、他人の演奏による楽音信号又は自動的に生成される楽音信号などを採用できるとともに、テンポを表すメトロノーム音などの演奏補助音に対応した音信号も採用することができる。
【００１１】
この本発明の他の特徴においては、自分の演奏音に対応した楽音信号及び自分の演奏音とは独立した音信号が選択的に骨伝導スピーカに導かれて、前記選択された信号を、外耳及び中耳を介さず、内耳に直接到達させることができる。これにより、演奏者は、上述した自分の演奏音に対応した楽音信号を骨伝導スピーカに導く場合の効果と、自分の演奏音とは独立した音信号を骨伝導スピーカに導く場合の効果とを選択的に享受できるようになる。
【発明を実施するための最良の形態】
【００１２】
ａ．基本構成
以下、本発明の種々の楽器（バイオリン、ビオラ、チェロ、コントラバスなどの弦楽器、トランペット、サクソフォン、クラリネット、フルート、リコーダなどの管楽器、又はこれらの楽器の形態を有する電気楽器）に関する具体的実施形態について説明するが、その前に、各楽器に付随する基本構成について説明しておく。図１は、この基本構成に係る電気回路装置をブロック図により概略的に示している。この電気回路装置は、その全てが詳しくは後述する楽器本体に内蔵されていてもよいし、その一部が楽器本体に無線又は有線により接続されていてもよい。
【００１３】
電気回路装置は、パネルスイッチ１１、演奏操作スイッチ１２、音源回路１３、マイクロフォン１４、ピックアップ装置１５及びコンピュータ部３０を備えている。パネルスイッチ１１は、演奏者により操作されて、楽器の作動モードを設定するためのスイッチである。パネルスイッチ１１の操作を表す信号は、バス４０を介してコンピュータ部３０に供給される。演奏操作スイッチ１２は、演奏者により楽器演奏のために操作されるスイッチである。演奏操作スイッチ１２の操作を表す信号は、バス４０を介してコンピュータ部３０に供給される。音源回路１３は、コンピュータ部３０から楽音信号の発生を制御するための制御信号をバス４０を介して入力し、前記制御信号に応じてディジタル楽音信号を生成して、ディジタル信号処理回路１８に出力する。この音源回路１３から出力されるディジタル楽音信号には、演奏者の演奏によるマニアル演奏音を表すディジタル楽音信号と、自動演奏音を表すディジタル楽音信号とが含まれている。
【００１４】
マイクロフォン１４は、楽器本体から発生される空気振動による楽音を電気的なアナログ楽音信号に変換して、マイク信号処理回路１６に出力する。マイク信号処理回路１６は、少なくともアナログ・ディジタル変換器を備えていて、マイクロフォン１４から供給されるアナログ楽音信号をディジタル楽音信号に変換して、ディジタル信号処理回路１８に出力する。なお、マイク信号処理回路１６にフィルタ回路を設けておき、マイクロフォン１４からのアナログ楽音信号からノイズを除去するようにしてもよい。また、このマイク信号処理回路１６には、コンピュータ部３０から制御パラメータが供給されるようになっている。
【００１５】
ピックアップ装置１５は、楽器本体のいずれかの箇所における機械的な振動を電気信号に変換して、ピックアップ信号処理回路１７に出力する。ピックアップ信号処理回路１７は、少なくともアナログ・ディジタル変換器を備えていて、ピックアップ装置１５からの機械的な振動を表す電気信号をディジタル信号に変換して、バス４０を介してコンピュータ部３０に又はディジタル信号処理回路１８に出力する。なお、ピックアップ信号処理回路１７にフィルタ回路を設けておき、ピックアップ装置１５からの電気信号からノイズを除去するようにしてもよい。また、このピックアップ信号処理回路１７には、コンピュータ部３０から制御パラメータが供給されるようになっている。
【００１６】
この場合、前記機械的な振動が、発生される楽音に対応した楽音信号を直接表している場合と、発生される楽音に対応した楽音信号を生成するための振動であって楽音信号を直接表していない場合とがある。前記機械的な振動が楽音信号を直接表している場合には、前述したマイクロフォン１４の場合と同様に、ピックアップ信号処理回路１７にて変換されたディジタル信号はディジタル楽音信号であるので、前記ディジタル信号はディジタル信号処理回路１８に出力される。また、前記機械的な振動が楽音信号を生成するための振動である場合には、前記ディジタル信号はコンピュータ部３０に供給される。この場合、コンピュータ部３０が、演奏操作スイッチ１２の演奏操作との関連で発生される楽音信号を決定し、決定した楽音信号を生成するための制御信号を音源回路１３に供給して、音源回路１３にてディジタル楽音信号が生成される。
【００１７】
前述した演奏操作スイッチ１２、マイクロフォン１４及びピックアップ装置１５は、それらの全てが楽器本体に設けられていなくてもよく、演奏者の演奏による楽音信号の生成態様に応じてそれらの一部が楽器本体に設けられている。なお、詳しくは、本発明が適用される楽器ごとに説明する。
【００１８】
ディジタル信号処理回路１８は、コンピュータ部３０により制御されて、マイク信号処理回路１６、ピックアップ信号処理回路１７及び音源回路１３から供給されるディジタル楽音信号に、残響効果、コーラス効果などの各種音響効果を付与して出力制御回路２１に出力する。この場合、ディジタル信号処理回路１８は、演奏者の演奏によるマニアル演奏音を表すディジタル楽音信号と、自動演奏音を表すディジタル楽音信号とを別々に出力制御回路２１に供給する。出力制御回路２１は、コンピュータ部３０により制御されて、前記両ディジタル楽音信号をディジタル・アナログ変換器（以下、Ｄ／Ａ変換器という）２２，２３に選択的に出力する。
【００１９】
Ｄ／Ａ変換器２２は、出力制御回路２１からのディジタル楽音信号をアナログ楽音信号に変換して、変換したアナログ楽音信号を増幅器２４を介してコーンスピーカ２５に供給する。コーンスピーカ２５は、電気信号を音響信号（空気振動）に変換して、変換した音響信号を空気中に放音するスピーカである。なお、この場合、コーンスピーカ２５は電気信号を音響信号（空気振動）に変換して出力する機能を有するものであり、コーンスピーカ２５に代えてホーンスピーカを用いてもよい。Ｄ／Ａ変換器２３は、出力制御回路２１からのディジタル楽音信号をアナログ楽音信号に変換して、変換したアナログ楽音信号を増幅器２６を介して骨伝導スピーカ２７に供給する。骨伝導スピーカ２７は、電気信号を機械的振動に変換して、変換された振動が人間の骨（顎骨、鎖骨、頬骨など）を通じて外耳及び中耳を介さず内耳に直接到達するようにしたスピーカである。したがって、この骨伝導スピーカ２７は、演奏者が楽器を演奏する際に、演奏者の顎、頬、膝、歯などの体の一部に接触するように楽器本体に組み付けられる。
【００２０】
コンピュータ部３０は、ＣＰＵ３１、タイマ３２、ＲＯＭ３３及びＲＡＭ３４を備えており、後述するプログラムの実行により、自動演奏音及び演奏者によるマニアル演奏音の発生を含む楽器の作動を制御する。また、電気回路装置は、バス４０に接続された記憶装置５１、表示器５２及びインターフェース回路５３を備えている。記憶装置５１は、ＨＤＤ、ＦＤＤ、ＣＤ−ＲＯＭ、ＭＯ、ＤＶＤ、半導体メモリなどの大容量の記録媒体と、記録媒体に対するドライブユニットを含むものであり、後述するデータ及びプログラムの記憶及び読出しを可能にしている。これらのデータ及びプログラムは予め記憶装置５１に記憶されていてもよいし、インターフェース回路５３を介して外部から取り込んでもよい。表示器５２は、楽器の作動モードを指定するために利用されるもので、コンピュータ部３０により制御されて、文字、数字、図形等を表示する。インターフェース回路５３は、他の電子音楽装置、パーソナルコンピュータなどの外部機器６０に接続可能となっていて、この楽器が外部機器６０と各種プログラム及びデータを交信可能としている。
【００２１】
ここで、記憶装置５１に記憶されているプログラム及びデータについて説明しておく。記憶装置５１には、図２に示すメインプログラム（図３の演奏処理ルーチンを含む）及び図４のカウント値更新プログラムを記憶しているとともに、複数の楽曲に関する曲データを記憶している。各曲データは、図５に示すように、曲名を表す曲名データ、テンポを表すテンポデータなどの曲情報と、楽音の発生を指示する演奏データとからなる。演奏データは、時間経過に従って配列されたタイミングデータ、演奏イベントデータ、エンドデータなどからなる。タイミングデータは、演奏イベントデータの発生タイミングを、曲の開始からの絶対時間又は前の演奏イベントデータからの相対時間により表している。演奏イベントデータは、キーオンイベントデータ（ＫＯＮ）、キーオフイベントデータ（ＫＯＦ）などからなる。キーオンイベントデータは、楽音の発生開始を指示するもので、同指示を表わす指示情報及び楽音の音高を表わすノートコードからなる。キーオフイベントデータは、楽音の発生終了を指示するもので、同指示を表わす指示情報及び楽音の音高を表わすノートコードからなる。エンドデータは曲の終了を表すデータである。
【００２２】
この曲データは、全てのパートに関する演奏データであったり、一部のパートに関する演奏データであったりする。全てのパートに関する演奏データである場合には、後述する曲データの指定の際に、自動演奏されるパートを指定するようにするとよい。そして、演奏者は、自動演奏によるパートとは異なるパートを演奏して自動演奏と合奏したり、自動演奏されるパートと同じパートを演奏して演奏練習を行ったりするとよい。特に、自動演奏に関するパートが伴奏パートであれば、演奏者は伴奏パートを聴きながら、メロディパートを演奏することができる。さらに、この伴奏パートはリズムパートであってもよく、この場合には、ノートコードに代えて、リズム楽器名を表すデータが曲データとして記憶されており、リズムパートが自動演奏されるようにする。
【００２３】
次に、上記基本構成に係る電気回路装置の作動について説明する。図示しない電源スイッチの投入により、コンピュータ部３０は、図２のメインプログラムの実行をステップＳ１０にて開始し、ステップＳ１１にて初期化処理を実行して、ステップＳ１２，Ｓ１３からなる循環処理を繰り返し実行し続ける。ステップＳ１２においては、コンピュータ部３０は、パネルスイッチ１１の操作を表す信号をパネルスイッチ１１から入力して、パネルスイッチ１１の操作に応じて楽器の各種作動モードを設定する。この作動モードの設定においては、表示器５２に作動モードの設定のための表示画面を表示する。
【００２４】
作動モードの設定としては、自動演奏の再生制御、自動演奏音及びマニアル演奏音の選択制御などがある。自動演奏の再生制御においては、複数の楽曲の中から再生される曲が選択されるとともに、選択された曲の再生の開始及び停止が制御される。再生される曲が選択された場合には、コンピュータ部３０は、記憶装置５１内に記憶されている複数の曲データのうちから選択された曲の曲データを読み出して、ＲＡＭ３４に一時的に記憶する。選択された曲の再生の開始が指示された場合、コンピュータ部３０は、自動演奏フラグをオン状態に設定する。選択された曲の再生の停止が指示された場合、コンピュータ部３０は、自動演奏フラグをオフ状態に設定する。また、前記曲データをＲＡＭ３４に記憶した際には、まず、曲データを読み出すためのアドレスを指定する読出しポインタが、ＲＡＭ３４内の曲データの先頭アドレスに設定される。その後、読出しポインタを順次歩進させて、曲情報を読出して曲情報により自動演奏の再生を準備する。この準備の中には、後述する図４のカウント値更新プログラムの実行周期を曲情報中のテンポデータに応じた周期に設定することも含む。具体的には、テンポデータにより表された自動演奏のテンポが速くなるに従って、カウント値更新プログラムの実行周期は短くなる周期に設定される。そして、曲情報の読出し終了後、読出しポインタは曲データ中の先頭のタイミングデータの記憶アドレス値に設定される。また、選択された曲の再生の開始の指示には、曲の再生開始からの進行タイミングを表す曲進行カウント値が初期値「０」に設定される。
【００２５】
また、自動演奏音及びマニアル演奏音の選択制御においては、パネルスイッチ１１の操作により、楽音発生モードＭＤが第１乃至第４モードＭＤ１〜ＭＤ４のいずれかに設定される。第１モードＭＤ１は、マニアル演奏音信号をコーンスピーカ２５から出力し、かつ自動演奏信号を骨伝導スピーカ２７から出力するモードである。第２モードＭＤ２は、自動演奏信号をコーンスピーカ２５から出力し、かつマニアル演奏音信号を骨伝導スピーカ２７から出力するモードである。第３モードＭＤ３は、マニアル演奏音信号及び自動演奏信号を共にコーンスピーカ２５から出力するモードである。第４モードＭＤ４は、マニアル演奏音信号及び自動演奏信号を共に骨伝導スピーカ２７から出力するモードである。
【００２６】
ステップＳ１３の演奏処理ルーチンは、図３に詳細に示されており、ステップＳ２０にて、その実行が開始される。この演奏処理ルーチンの実行開始後、コンピュータ部３０は、ステップＳ２１にて自動演奏フラグがオン状態にあるか否かを判定する。前述のように、この自動演奏フラグは、図２のステップＳ１２の処理によって設定されるもので、自動演奏フラグがオフ状態にあれば、コンピュータ部３０は、ステップＳ２１にて「Ｎｏ」と判定して、プログラムをステップＳ２６以降に進める。一方、自動演奏フラグがオン状態にあれば、コンピュータ部３０は、ステップＳ２１にて「Ｙｅｓ」と判定して、ステップＳ２２にて、読出しポインタが示す曲データのタイミングが曲進行カウント値と一致しているか否かを判定する。
【００２７】
この読出しポインタには、前述のように、自動演奏曲の選択時（図２のステップＳ１２の処理時）には、曲データの最初のタイミングデータを記憶したアドレス値に設定されている。また、曲進行カウント値は、前述のように、自動演奏曲の再生の開始が指示されたときに、初期値「０」に設定されている。そして、この曲進行カウント値は、メインプログラムの実行開始と同時に、繰り返し実行される図４のカウント値更新プログラムの実行により順次歩進される。なお、このカウント値更新プログラムは、前述したように、自動演奏曲のテンポが速くなるに従って短い周期で実行される。カウント値更新プログラムの実行はステップＳ４０にて開始され、コンピュータ部３０は、ステップＳ４１にて前記図３のステップＳ２１の処理と同様に、自動演奏フラグがオン状態に設定されているか否かを判定する。そして、自動演奏フラグが未だオフ状態に設定されていれば、ステップＳ４１にて「Ｎｏ」と判定して、ステップＳ４４にてこのカウント値更新プログラムの実行を終了する。
【００２８】
一方、自動演奏フラグがオン状態に設定されていれば、コンピュータ部３０は、ステップＳ４１にて「Ｙｅｓ」と判定し、ステップＳ４２にて読出しポインタによって指定される自動演奏データがエンドデータであるかを判定する。自動演奏データがエンドデータであれば、コンピュータ部３０は、ステップＳ４２にて「Ｙｅｓ」と判定して、ステップＳ４４にてカウント値更新プログラムの実行を終了する。自動演奏データがエンドデータでなければ、コンピュータ部３０は、ステップＳ４２にて「Ｎｏ」と判定して、ステップＳ４３にて曲進行カウント値を歩進させる。したがって、自動演奏中には、曲進行カウント値は、曲データ中のテンポデータにより表されたテンポに比例した速度で順次上昇する。
【００２９】
ふたたび、図３の演奏処理ルーチンの説明に戻る。読出しポインタにより示された曲データ中のタイミングデータが、前述のように曲データのテンポに比例して歩進する曲進行カウント値に一致していれば、コンピュータ部３０は、ステップＳ２２にて「Ｙｅｓ」と判定して、ステップＳ２３〜Ｓ２５からなる処理を実行する。ステップＳ２３においては、コンピュータ部３０は、読出しポインタを次に進める。そして、ステップＳ２４にて、読出しポインタが示すデータは演奏イベントデータであるかを判定する。この場合、読出しポインタが示すデータが演奏イベントデータであれば、コンピュータ部３０は、ステップＳ２４にて「Ｙｅｓ」と判定し、ステップＳ２５にて、読み出しポインタが示す演奏イベントデータをＲＡＭ３４から読出し、読出した演奏イベントデータを音源回路１３に出力して、自動演奏音信号の生成を制御する。このステップＳ２５の処理後、コンピュータ部３０は、ふたたびステップＳ２３〜Ｓ２５の処理を実行する。そして、読出しポインタを順次歩進させながら、読出しポインタが示すデータが演奏イベントデータでなくなるまで、すなわちタイミングデータになるまで、演奏イベントデータをＲＡＭ３４から読出して音源回路１３に出力する。読出しポインタが示すデータがタイミングデータになると、コンピュータ部３０は、ステップＳ２４にて「Ｎｏ」と判定してプログラムをステップＳ２６以降に進める。したがって、自動演奏中には、曲進行カウント値と一致するタイミングデータに対応した全ての演奏イベントデータを音源回路１３に出力し、その後に、読出しポインタは次のタイミングデータの記憶位置を示す値に保たれる。
【００３０】
音源回路１３に出力された演奏イベントデータには、キーオンイベントデータ及びキーオフイベントデータが含まれている。キーオンイベントデータが音源回路１３に出力された場合、音源回路１３は、キーオンイベントデータ中のノートコードによって表された音高を有するディジタル楽音信号を生成し始める。一方、キーオフイベントデータが音源回路１３に出力された場合、音源回路１３は、キーオフイベントデータ中のノートコードによって表された音高を有するディジタル楽音信号の生成を終了する。これにより、曲の進行に従って、曲データが順次再生され、自動演奏音を表すディジタル楽音信号がディジタル信号処理回路１８に出力される。
【００３１】
前記ステップＳ２１〜Ｓ２５の処理後、コンピュータ部３０は、ステップＳ２６にて、演奏操作スイッチ１２によるマニアル演奏操作に変化があったか否かを判定する。マニアル演奏操作に変化がなければ、コンピュータ部３０は、ステップＳ２６にて「Ｎｏ」と判定してプログラムをステップＳ２８に進める。一方、マニアル演奏操作に変化があれば、コンピュータ部３０は、ステップＳ２６にて「Ｙｅｓ」と判定して、ステップＳ２７にて、マニアル演奏操作の変化に応じてマニアル演奏音信号の生成を制御する。
【００３２】
この場合、コンピュータ部３０は、演奏操作スイッチ１２の演奏操作情報に加えて、ピックアップ装置１５によりピックアップされてピックアップ信号処理回路１７によって処理されたピックアップ信号に対応したディジタル信号を入力する。そして、コンピュータ部３０は、前記入力したディジタル信号と演奏操作情報との組み合わせにより、発生されるべきマニアル演奏音信号のピッチを表すノートコードと、キーオン信号又はキーオフ信号を音源回路１３に出力する。したがって、この場合には、音源回路１３は、ピックアップ装置１５からのピックアップ信号及び演奏操作スイッチ１２の演奏操作情報に基づくマニアル演奏音を表すディジタル楽音信号を生成して、ディジタル信号処理回路１８に出力する。なお、このピックアップ装置１５からのピックアップ信号及び演奏操作スイッチ１２の演奏操作情報に基づくマニアル演奏音信号の生成制御に関しては、後述する各種楽器の適用例において詳述する。また、マイクロフォン１４及びピックアップ装置１５による検出信号のみを用いて楽器音を発音する楽器に関しては、前記ステップＳ２６，Ｓ２７の処理は省略される。
【００３３】
ステップＳ２８においては、前記図２のステップＳ１２のパネル設定処理において、楽音発生モードＭＤが第１乃至第４モードＭＤ１〜ＭＤ４のいずれのモードに設定されているかを判定する。楽音発生モードＭＤが第１モードＭＤ１に設定されていれば、コンピュータ部３０は、ステップＳ２８の判定処理により、ステップＳ２９の処理を実行する。ステップＳ２９においては、コンピュータ部３０は、出力制御回路２１を制御して、ディジタル信号処理回路１８から出力されるマニアル演奏音信号をＤ／Ａ変換器２２及び増幅器２４を介してコーンスピーカ２５に導き、かつディジタル信号処理回路１８から出力される自動演奏音信号をＤ／Ａ変換器２３及び増幅器２６を介して骨伝導スピーカ２７に導く。そして、コーンスピーカ２５からマニアル演奏音が発生され、かつ骨伝導スピーカ２７から自動演奏音が発生される。
【００３４】
楽音発生モードＭＤが第２モードＭＤ２に設定されていれば、コンピュータ部３０は、ステップＳ２８の判定処理により、ステップＳ３０の処理を実行する。ステップＳ３０においては、コンピュータ部３０は、出力制御回路２１を制御して、ディジタル信号処理回路１８から出力される自動演奏音信号をＤ／Ａ変換器２２及び増幅器２４を介してコーンスピーカ２５に導き、かつディジタル信号処理回路１８から出力されるマニアル演奏音信号をＤ／Ａ変換器２３及び増幅器２６を介して骨伝導スピーカ２７に導く。そして、コーンスピーカ２５から自動演奏音が発生され、かつ骨伝導スピーカ２７からマニアル演奏音が発生される。
【００３５】
楽音発生モードＭＤが第３モードＭＤ３に設定されていれば、コンピュータ部３０は、ステップＳ２８の判定処理により、ステップＳ３１の処理を実行する。ステップＳ３１においては、コンピュータ部３０は、出力制御回路２１を制御して、ディジタル信号処理回路１８から出力されるマニアル演奏音信号及び自動演奏音信号を、共にＤ／Ａ変換器２２及び増幅器２４を介してコーンスピーカ２５に導く。そして、コーンスピーカ２５から自動演奏音及びマニアル演奏音が発生される。
【００３６】
楽音発生モードＭＤが第４モードＭＤ４に設定されていれば、コンピュータ部３０は、ステップＳ２８の判定処理により、ステップＳ３２の処理を実行する。ステップＳ３２においては、コンピュータ部３０は、出力制御回路２１を制御して、ディジタル信号処理回路１８から出力されるマニアル演奏音信号及び自動演奏音信号を、共にＤ／Ａ変換器２３及び増幅器２６を介して骨伝導スピーカ２７に導く。そして、骨伝導スピーカ２７から自動演奏音及びマニアル演奏音が発生される。
【００３７】
上記のよう動作する実施形態によれば、ステップＳ２８〜Ｓ３２の処理により、マニアル演奏音信号及び自動演奏音信号が選択的に骨伝導スピーカ２７に導かれて、導かれた音信号は、前記楽音が外耳及び中耳を介さず、内耳に直接到達する。したがって、マニアル演奏音信号が骨伝導スピーカ２７に導かれる場合には、他人の演奏音によって自分の演奏音が打ち消されることなく、自分の演奏による楽音を確実に把握することができ、他人との合奏がし易くなる。消音を目的とした電気楽器においても、ヘッドホンを使用しなくも自分の演奏音を簡単に聴くことができるようになるとともに、難聴者であっても自分の演奏音を簡単に聴くことができるようになり、良好な演奏を行えるようになる。また、自動演奏音信号（他のパートの演奏音信号、伴奏音信号、リズム音信号など）が骨伝導スピーカ２７に導かれる場合には、他のパートとの合奏に合わせて自分の演奏を良好に行えるようになる。
【００３８】
次に、上述した基本構成の具体的な適用例について、複数種類の楽器についてそれぞれ説明する。
ｂ．バイオリン及びビオラ型楽器
図６(Ａ)は、上述した基本構成を適用した電気バイオリン１００の平面図である。図６(Ｂ)は、図６(Ａ)の電気バイオリン１００に備えられた弓１１０の側面図である。電気バイオリン１００は、中空の箱体である響胴１０１と、響胴１０１から延出されて響胴１０１に固定された長尺状のネック１０２と、４本の弦１０３とを備えている。
【００３９】
４本の弦１０３は、ネック１０２の先端部近傍に設けた糸巻１０４と、響胴１０１を構成する表板１０１ａに固定された緒止板１０５とにより、張力を付与した状態で支持されている。表板１０１ａと弦１０３との間には駒１０６が挟持されており、弦１０３に生じた振動が駒１０６を介して響胴１０１に伝達されて、響胴１０１に共鳴が起こるようになっている。響胴１０１のネック１０２の反対側端部の表板１０１ａ上には、演奏者が演奏の際に顎を当てる顎当て１０７が設けられている。弓１１０は、弓身１１１を備えている。弓身１１１の根元に直方体形状のフロッグ１１２が設けられている。フロッグ１１２と、弓身１１１の先端である弓先１１１ａとの間には、弓毛１１３が張力を付与した状態で支持されている。以上の構成は、通常のバイオリンと同じである。
【００４０】
この電気バイオリン１００においては、響胴１０１の表板１０１ａ上の位置であって駒１０６が接触する位置には、本体側ピックアップ装置１５ａが組み込まれている。この本体側ピックアップ装置１５ａは、弦１０３から駒１０６を介して伝達された振動と響胴１０１の共鳴による振動とを受け、これらの振動に対応した機械的な振動を表す振動信号を出力する。なお、本体側ピックアップ装置１５ａの組み付け位置は、前記位置に限らず、弦１０３から響胴１０１へ伝達された振動を検出する位置であれば、ネック１０２又は響胴１０１の前記以外の位置であってもよい。
【００４１】
また、この電気バイオリン１００においては、フロッグ１１２の側面であって弓毛１１３の付け根の近傍位置に、弓側ピックアップ装置１５ｂが組み付けられている。この弓側ピックアップ装置１５ｂは、演奏者が弓１１０により弦１０３を擦弦した際に生じる弓毛１１３の振動を受け、この振動に対応した機械的な振動を表す振動信号を出力する。なお、本実施形態においては、本体側ピックアップ装置１５ａ及び弓側ピックアップ装置１５ｂの両方を設けることが好ましいが、いずれか一方のみを設けるようにしてもよい。これらのピックアップ装置１５ａ，１５ｂは、圧電素子を有する加速度ピックアップで構成され、上記図１の基本構成のピックアップ装置１５に相当する。なお、前記ピックアップ装置１５ａ，１５ｂを備えた電気バイオリン自体は、例えば、特開２０００−２５０５３５号公報及び特開２００８−８９２４号公報にも示されている公知の構成である。
【００４２】
さらに、この電気バイオリンにおいては、顎当て１０７に、図１の骨伝導スピーカ２７に相当する骨伝導スピーカ２７ａが組み込まれて、その振動面が顎当て１０７の表面に露出している。なお、この骨伝導スピーカ２７ａは、前記位置に限らず、演奏者が演奏する際に身体の一部が接触する位置に設ければよく、例えば響胴１０１を構成する裏板上であって顎当て１０７に対向する位置、響胴１０１の側板上であって顎当て１０７の近傍位置に設けてよい。
【００４３】
このような電気バイオリン１００においては、ピックアップ装置１５ａ，１５ｂ（図１のピックアップ装置１５に対応）によってピックアップされた振動信号が、マニアル演奏音信号として図１のピックアップ信号処理回路１７に供給される。そして、ピックアップ信号処理回路１７が前記マニアル演奏音信号としての振動信号をディジタル信号処理回路１８に出力するので、図１における演奏操作スイッチ１２、マイクロフォン１４及びマイク信号処理回路１６は不要となるとともに、ピックアップ信号処理回路１７からコンピュータ部３０へのピックアップ信号も不要である。また、この場合、音源回路１３は、自動演奏音信号のみを生成してディジタル信号処理回路１８に出力する。
【００４４】
また、この場合、前記電気バイオリン１００内に組み込んだピックアップ装置１５ａ，１５ｂ（図１のピックアップ装置１５）及び骨伝導スピーカ２７ａに加え、前記省略した演奏操作スイッチ１２、マイクロフォン１４、マイク信号処理回路１６以外の各種回路及び装置１１，１３，１７，１８，２１〜２６，３０，４０，５１〜５３に関しては、電気バイオリン１００自体に内蔵又は組み付けてもよいし、電気バイオリン１００自体から離れた位置に配置してもよい。
【００４５】
上記のように構成した電気バイオリン１００においては、図５(Ｃ)に示すように、演奏者が電気バイオリン１００を演奏する際には、演奏者の顎が顎当て１０７に組み込んだ骨伝導スピーカ２７ａの振動面に接触する。したがって、この場合には、骨伝導スピーカ２７ａからの振動信号は、演奏者の顎骨を介して内耳に伝播される。また、前述のように、響胴１０１の裏板上であって顎当て１０７に対向する位置、又は響胴１０１の側板上であって顎当て１０７の近傍位置に骨伝導スピーカ２７ａを設けた場合には、骨伝導スピーカ２７ａからの振動信号は鎖骨、首の骨などを介して内耳に伝播される。他の動作については、上記図１の基本構成を用いた動作説明と同様に動作する。したがって、この電気バイオリン１００の適用例においても、上述した発明の効果が得られる。
【００４６】
なお、この電気バイオリン１００の適用例においては、ピックアップ装置１５ａ，１５ｂ（図１のピックアップ装置１５に相当）により検出した機械的な振動信号を演奏音信号として利用するようにした。しかし、ピックアップ装置１５ａ，１５ｂによる振動信号に代え又は加えて、響胴１０１内に図１のマイクロフォン１４を設け、響胴１０１内の空気振動をマイクロフォン１４によってピックアップして、前記ピックアップした空気振動をマニアル演奏音信号としてディジタル信号処理回路１８に導くようにしてもよい。また、響胴１０１内の空気振動による楽音が充分に大きければ、コーンスピーカ２５を省略して響胴１０１内の空気振動をマニアル演奏音信号としてそのまま外部に放音させてもよい。すなわち、自然楽器であるバイオリンに、前記基本構成による骨伝導スピーカ２７への信号供給及び信号処理を適用してもよい。この場合、自動演奏音信号を骨伝導スピーカ２７に導いて演奏者に提供することは可能であるが、自動演奏音信号を外部に放音することはできない。
【００４７】
さらには、骨伝導を用いて自分のマニアル演奏音信号を演奏者に導くだけならば、マイクロフォン１４又はピックアップ装置１５によってピックアップしたマニアル演奏音信号をディジタル信号に変換することなく、増幅器２６を介して骨電動スピーカ２７に単に導くだけでよい。これによれば、図1に示した基本構成のうちで、マイクロフォン１４又はピックアップ装置１５、増幅器２６及び骨電動スピーカ２７を設けるだけでよいので、構成が極めて簡単になる。
【００４８】
また、前記適用例では、バイオリン型の楽器に本発明を適用した例について説明した。しかし、ビオラはバイオリンとほぼ同様な構成及び演奏方法であるので、ビオラを前記電気バイオリン１００と同様に構成したり、自然楽器であるビオラに前記基本構成による骨伝導スピーカ２７への信号供給及び信号処理を適用したりしてもよい。
【００４９】
ｃ．チェロ及びコントラバス型楽器
次に、上記基本構成を適用したチェロ又はコントラバス型の大型弦楽器２００について説明する。図７は、この大型弦楽器２００の演奏状態を示す斜視図である。この大型弦楽器２００においても、上記電気バイオリン１００の場合と同様な、響胴２０１、ネック２０２、弦２０３、糸巻２０４、緒止板２０５及び駒２０６を備えている。また、弓身２１１、フロッグ２１２及び弓毛２１３からなる弓２１０も備えている。そして、上記本体側ピックアップ装置１５ａ及び弓側ピックアップ装置１５ｂと同様な、本体側ピックアップ装置１５ｃ及び弓側ピックアップ装置１５ｄも設けられている。そして、これらの本体側ピックアップ装置１５ｃ及び弓側ピックアップ装置１５ｄも、上記図１の基本構成のピックアップ装置１５に相当する。
【００５０】
しかし、この大型弦楽器２００においては、演奏者が大型弦楽器２００の横に立って又は椅子に座って演奏するので、上記のような顎当て１０７は設けられていない。この大型弦楽器２００を立って演奏する場合には、演奏者は、脇腹を響胴２０１の裏板の上部に接近させるとともに、膝を響胴２０１の裏板の下部に接近させている。言い換えれば、演奏者は、脇腹を響胴２０１の裏板の上部に接触させ、又は膝を響胴２０１の裏板の下部に接触させることが可能である。また、この大型弦楽器２００を椅子に座って演奏する場合には、肩を響胴２０１の裏板の上部に接触させることも可能である。したがって、この大型弦楽器２００においては、図１の骨伝導スピーカ２７に相当する骨伝導スピーカ２７ｂは、図示のように、響胴２０１の裏板の上部又は下部に組み付けられている。そして、この場合も、骨伝導スピーカ２７ｂは響胴２０１の裏板の表面に露出している。他の構成に関しては、上記電気バイオリン１００と同様である。
【００５１】
このように構成した大型弦楽器２００においても、演奏方法こそ異なるが、上記電気バイオリン１００と同様に動作する。この場合、演奏者が大型弦楽器２００を演奏する際には、演奏者の脇腹、膝又は肩を響胴２０１の裏板に設けた骨伝導スピーカ２７ｂに接触させることができる。したがって、この場合には、骨伝導スピーカ２７ｂからの振動信号は、演奏者の脇腹の骨、膝の骨又は肩の骨を介して内耳に伝播される。その結果、上記図１の基本構成を大型弦楽器２００に適用した場合にも、上記バイオリン及びビオラ型楽器の場合と同様な発明の効果を得ることができる。
【００５２】
また、この大型弦楽器２００の例においても、前記電気バイオリン１００の変形例で説明した変形は可能であり、前記した各種変形例もこの大型弦楽器２００に適用される。すなわち、響胴１０１内に図１のマイクロフォン１４を設け、響胴１０１内の空気振動をマイクロフォン１４によってピックアップして、前記ピックアップした空気振動をマニアル演奏音信号として出力することもできる。また、自然楽器であるチェロ、コントラバスなどの大型弦楽器に、前記基本構成による骨伝導スピーカ２７への信号供給及び信号処理を適用してもよい。特に、骨伝導を用いて自分のマニアル演奏音信号を演奏者に導くだけならば、マイクロフォン１４又はピックアップ装置１５によってピックアップしたマニアル演奏音信号をディジタル信号に変換することなく、増幅器２６を介して骨電動スピーカ２７に単に導くだけでよい。
【００５３】
ｄ．電子トランペット型楽器
次に、上記基本構成を適用した電子トランペット３００について説明する。図８は、電子トランペット３００の斜視図である。この電子トランペット３００は、自然楽器であるトランペットの形状を模擬して形成されていて、前後方向に延設された管状の胴体部３０１を備えている。胴体部３０１の手前側にはマウスピースに相当する口演奏情報入力部３０２が組み付けられている。口演奏情報入力部３０２には、マイクロフォンあるいは薄板に貼着された圧電素子などの空気振動ピックアップ装置１５ｅ（図１の基本構成のピックアップ装置１５に相当）が組み込まれている。胴体部３０１の先端側には、胴体部３０１に対して拡管された管状部３０３が組み付けられており、管状部３０３内にはスピーカ２５ａ（図１の基本構成のコーンスピーカ２５に相当）が組み込まれている。胴体部３０１の側面には、液晶ディスプレイで構成した表示器５２ａ（図１の基本構成の表示器５２に相当）が設けられている。
【００５４】
胴体部３０１の中央の下面は平らに形成されており、胴体部３０１の前側部分の下面には、演奏者がこの電子楽器を手で把持するための箱状の把持部３０４が固定されている。胴体部３０１の手前部分の下面には箱状のパネル部３０５が固定されている。このパネル部３０５には、複数のパネルスイッチ１１ａ（図１の基本構成のパネルスイッチ１１に相当）が配置されている。把持部３０４及びパネル部３０５は、それらの下面にて長尺状の連結部３０６によって連結されている。この連結部３０６の先端には、リング３０７が固定されている。
【００５５】
胴体部３０１の中央の上面も平らに形成されており、同上面には所定の厚みを有する長円状のピストンベースプレート３０８が固定されている。ピストンベースプレート３０８には、前後方向に沿って手前側から先端側に向かって第１演奏ピストン１２ａ、第２演奏ピストン１２ｂ及び第３演奏ピストン１２ｃ（図１の基本構成の演奏操作スイッチ１２に対応）が上下方向に進退可能に組み付けられている。これらの第１〜第３演奏ピストン１２ａ〜１２ｃは、その下部をピストンベースプレート３０８を通過させて、把持部３０４内に侵入し、同把持部３０４内にて図示しないスプリングにより上方に付勢されるとともに所定の基準位置にて上方への変位が規制されている。第３演奏ピストン１２ｃの前方位置の胴体部３０１の上面には、演奏者が第１〜第３演奏ピストン１２ａ〜１２ｃを操作する一方の手の指（例えば、右手の小指）を係止させるための係止片３０９が固定されている。
【００５６】
胴体部３０１の口演奏情報入力部３０２側の下面には、Ｌ字型に曲げた支持部材３１０の一端が固定されている。支持部材３１０の他端には、骨伝導スピーカ２７ｃ（図１の基本構成の骨伝導スピーカ２７に相当）が固定されている。骨伝導スピーカ２７ｃの振動面は、手前側に露出している。これにより、演奏者が、唇を口演奏情報入力部３０２に当てて電子トランペット３００を演奏する際には、骨伝導スピーカ２７ｃの振動面が演奏者の顎に接触するようになっている。なお、骨伝導スピーカ２７ｃを演奏者の頬に接触する位置に設けるようにしてもよい。
【００５７】
この電子トランペット３００においては、図１の基本構成中のマイクロフォン１４及びマイク信号処理回路１６は設けられていない。図１の基本構成中において前述した電気回路装置１１，１２，１５，２５，２７以外の他の電気回路装置である、音源回路１３、ピックアップ信号処理回路１７、ディジタル信号処理回路１８、出力制御回路２１、Ｄ／Ａ変換器２２，２３、増幅器２４，２６、コンピュータ部３０、記憶装置５１及びインターフェース回路５３は、胴体部３０１及びパネル部３０５の内部に組み込まれている。なお、前記他の電気回路装置の一部は、電子トランペット３００に対して離れた位置に用意されていてもよい。
【００５８】
この電子トランペット３００においては、ピックアップ信号処理回路１７は、空気振動ピックアップ装置１５ｅから入力した音声信号のピッチ（周波数）を検出するとともに、前記音声信号の音量レベル（振幅エンベロープ）を検出する機能を備えており、これらの検出ピッチ及び音量レベルは、バス４０を介してコンピュータ部３０に供給される。また、第１〜第３演奏ピストン１２ａ〜１２ｃには、それらの押圧操作を検出するスイッチが内蔵されており、第１〜第３演奏ピストン１２ａ〜１２ｃの押圧操作を表す信号がコンピュータ部３０に供給されるようになっている。
【００５９】
この電子トランペット３００の具体的な動作説明に入る前に、この電子トランペット３００の演奏方法について簡単に説明しておく。演奏者は、左手の人差し指が胴体部３０１の直下であって把持部３０４の前端面に位置するようにして左手で把持部３０４を把持し、左手の薬指または小指をリング３０７に係止させる。そして、右手の小指を係止片３０９に係止させ、同右手の人差し指、中指及び薬指で第１〜第３演奏ピストン１２ａ〜１２ｃを押圧操作する。この電子トランペット３００においては、自然楽器であるトランペットなどと同様に、第１〜第３演奏ピストン１２ａ〜１２ｃの非操作状態と操作状態の組み合わせによって発生楽音の音高が指定されるが、この場合における指定音高は、一つではなく、複数の音高の候補が同時に指定される。
【００６０】
そして、前記のように、第１〜第３演奏ピストン１２ａ〜１２ｃを操作した状態で、演奏者は、唇を口演奏情報入力部３０２に押し当て、空気振動ピックアップ装置１５ｅに向かって、発生させようとする楽音の音高周波数に近い周波数を有する音声を発生する。この場合の音声は、例えば「アー」、「ウー」などの単純なものでよく、要は音声が特定の周波数を有していればよい。この音声の発生により、前記第１〜第３演奏ピストン１２ａ〜１２ｃの操作によって指定された複数の音高の候補のうちから、前記音声の周波数に最も近い周波数の音高が発生楽音の音高として決定される。そして、前記決定された音高を有する楽音（例えば、トランペット音）が音声に同期して発生される。なお、この演奏者が唇を口演奏情報入力部３０２に押し当てた状態では、骨伝導スピーカ２７ｅの振動面は演奏者の顎又は頬に接している。
【００６１】
この音高の指定について図９を用いて説明すると、図中の「演奏ピストン」と表示した左欄には、縦方向に、第１〜第３演奏ピストン１２ａ〜１２ｃの非操作状態と操作状態との組み合わせからなる８通りの第１〜第３演奏ピストン１２ａ〜１２ｃの操作の組み合わせが示されている。この場合、「１」、「２」、「３」は操作されるべき演奏ピストンを第１、第２及び第３演奏ピストン１２ａ〜１２ｃにそれぞれ対応させて示しており、「−」印は操作されるべきでない演奏ピストンを示している。一方、図中の「発音音高」と表示した下欄には、横方向に、発生されるべき楽音の音名が示されている。そして、「発音音高」の上方と「演奏ピストン」の右方の交点位置の○印が、発生されるべき楽音の音高と操作されるべき第１〜第３演奏ピストン１２ａ〜１２ｃの組み合わせとを対応付けている。したがって、第１〜第３演奏ピストン１２ａ〜１２ｃの操作の組み合わせにより、発生される楽音の音高候補として、複数の音高が指定される。例えば、第１〜第３演奏ピストン１２ａ〜１２ｃのいずれも操作されなければ、発生される楽音の音高候補は、「Ｃ4」、「Ｇ4」、「Ｃ5」、「Ｅ5」などである。また、第２演奏ピストン１２ｂだけが操作されれば、発生される楽音の音高候補は、「Ｂ3」、「Ｆ#4」、「Ｂ4」、「Ｄ#5」などである。
【００６２】
また、図中の○印の下方の矢印は、空気振動ピックアップ装置１５ｅから入力した音声信号の発生楽音に対する周波数のずれの許容範囲を表示している。この許容範囲は、図中の「入力音高」と表示した上欄に、横方向に表示した音名の周波数に対応している。なお、図中の上欄の「入力音高」の音名と、図中の下欄の「発音音高」との音名とが１オクターブずれているのは、人間の声の音域（男性）とトランペットの発音音域とのずれを補正するためである。また、図中に表示した「無音」は、楽音が発生されないことを意味する。したがって、例えば、第１〜第３演奏ピストン１２ａ〜１２ｃのいずれも操作されない状態で、「Ａ#2」と「Ｄ#3」の間の周波数域の音声を入力すれば「Ｃ4」の音高を有する楽音が発生され、「Ｅ3」と「Ａ3」の間の周波数域の音声を発生すれば「Ｇ4」の音高を有する楽音が発生される。
【００６３】
次に、前記のように構成した電子トランペット３００の動作について説明する。演奏者は、第１〜第３演奏ピストン１２ａ〜１２ｃを押圧操作するとともに、空気振動ピックアップ装置１５ｅに音声を入力する。この演奏者による第１〜第３演奏ピストン１２ａ〜１２ｃの押圧操作に応答して、第１〜第３演奏ピストン１２ａ〜１２ｃの押圧操作を表す信号がコンピュータ部３０に供給される。また、ピックアップ信号処理回路１７は、空気振動ピックアップ装置１５ｅから入力した音声信号のピッチ（周波数）を検出するとともに、前記音声信号の音量レベル（振幅エンベロープ）を検出して、検出したピッチ及び音量レベルをコンピュータ部３０に供給する。
【００６４】
コンピュータ部３０は、図３のステップＳ２７にて、これらの供給された第１〜第３演奏ピストン１２ａ〜１２ｃの押圧操作、音声信号のピッチ及び音量レベルを表す信号に基づいて、マニアル演奏音信号の発生を制御する。具体的には、コンピュータ部３０は、ＲＯＭ３３または記憶装置５１に予め記憶されていて、前述した図９の入力音高と演奏ピストンとの関係から決まる発音音高を表す音高候補テーブルを参照し、前記入力した第１〜第３演奏ピストン１２ａ〜１２ｃの押圧操作及び音声信号のピッチを表す信号を用いて発音音高を決定する。そして、コンピュータ部３０は、この決定した発音音高を表すノートコード（音高情報）を音源回路１３に出力するとともに、前記入力した音量レベルを表す信号を音源回路１３に出力する。音源回路１３は、前記入力したノートコードに対応した音高を有するとともに、前記入力した音量レベルを表す音量のディジタル楽音信号を生成してディジタル信号処理回路１８に出力する。
【００６５】
自動演奏音信号の発生、楽音発生モードＭＤなどの他の動作に関しては、上記基本構成において説明した動作と同様である。そして、この種の電子トランペット３００の特有の構成及び作動に関しては、例えば、特開２００５−４９４２０号公報及び特開２００５−４９４２１号公報にも示されている公知の技術である。
【００６６】
このように構成されかつ動作する電子トランペット３００においても、骨伝導スピーカ２７ｃに導かれたマニアル演奏音信号又は自動演奏音信号は、演奏者の顎骨又は頬骨を介して内耳に伝播される。その結果、上記図１の基本構成を電子トランペット３００に適用した場合にも、上述した場合と同様な発明の効果を得ることができる。
【００６７】
なお、この電子トランペット３００の適用例においては、電気的に合成した楽音信号を演奏音信号として利用するようにした。しかし、前記基本構成による骨伝導スピーカ２７への信号供給及び信号処理を自然楽器であるトランペットにも適用できる。この場合、自然楽器であるトランペットのベル部分（朝顔部分）に消音器を装着するサイレント技法を用いて、空気信号による大きな楽器音がトランペットから外部へ発音されないようにする。そして、前記消音器を取り付けた部分に、図１のマイクロフォン１４又はピックアップ装置１５を設けて、このマイクロフォン１４又はピックアップ装置１５によりピックアップした振動信号（楽器音信号）を、ディジタル信号処理回路１８を介して骨伝導スピーカ２７に演奏音信号として導くようにしてもよい。また、演奏者が難聴者であり、又は周囲の楽器音のために、単に、自然楽器である自己のトランペット音を聴き取り難い場合であれば、前記消音器を設けなくても、マイクロフォン１４又はピックアップ装置１５によりピックアップした振動信号（楽器音信号）をディジタル信号処理回路１８を介して骨伝導スピーカ２７に演奏音信号として導くようにしてもよい。
【００６８】
ｅ．サクソフォン及びクラリネット型楽器
次に、上記基本構成を適用したサクソフォン型楽器（以下、単にサクソフォンという）４００について説明する。図１０は、このサクソフォン４００を示す斜視図である。このサクソフォン４００は、楽器本体４１０と、楽器本体４１０に着脱可能に設けられた電子式マウスピース４２０とを備えている。楽器本体４１０は、一方から見た側面がほぼＪ字状に形成された筒状体で構成されており、内部に形成された孔は電子式マウスピース４２０が取付けられる上端側が細く、先端側に向かうに従って徐々に太くなるように形成されている。
【００６９】
電子式マウスピース４２０は、図１１に示すように、マウスピース本体４２１と薄板状のリード部４２２とで構成されている。リード部４２２の材質は通常のマウスピースと同等のものが吹奏感上好ましい。マウスピース本体４２１における演奏者が口を当てる部分は鳥のクチバシのように細く形成され、その先端部に赤外線反射式のＬＥＤからなるタンギングセンサ１５ｆが取付けられている。このタンギングセンサ１５ｆは、反射してくる赤外線により、演奏者の舌が接近したことを検出する。また、リード部４２２を外した状態でのマウスピース本体４２１の下面には、ボタン式の圧力センサからなるリップセンサ１５ｇが取付けられている。このリップセンサ１５ｇは、リード部４２２を介して押し付けられることにより、演奏者の唇がリード部４２２を押さえるときの圧力を検出する。さらに、マウスピース本体４２１内には、圧力センサからなるウィンドセンサ１５ｈが内蔵されている。このウィンドセンサ１５ｈは、電子式マウスピース４２０内に吹き込まれる息圧を検出する。これらのタンギングセンサ１５ｆ、リップセンサ１５ｇ及びウィンドセンサ１５ｈは、上記図1の基本構成のピックアップ装置１５に相当する。
【００７０】
また、マウスピース本体４２１の上面には、骨伝導スピーカ２７ｄ（上記図１の基本構成の骨伝導スピーカ２７に相当）が、上方に露出した面が振動するように取付けられている。この場合、演奏者が演奏のためにマウスピース本体４２１を口内に入れた際に、骨伝導スピーカ２７ｄの振動面が演奏者の歯に当たるようになっている。
【００７１】
なお、電子式マウスピース４２０に代えて楽器本体４１０に取付け可能な通常のマウスピース４２０ａでは、マウスピース本体の下面から後端にかけて貫通する空洞が形成されている。そして、マウスピース４２０ａの下面に、空洞を塞ぐようにしてリード部４２２ａが取付けられているため、演奏者が吹くとリード部４２２ａが振動することにより楽音が発生する。一方、電子式マウスピース４２０では、マウスピース本体４２１の後部側からは、タンギングセンサ１５ｆ、リップセンサ１５ｇ、ウィンドセンサ１５ｈ及び骨伝導スピーカ２７ｄに接続された配線４２３が外部に向かって延びている。
【００７２】
楽器本体４１０の周面には、上下方向に沿って複数の操作子１２ｄが設けられている。これらの操作子１２ｄは、単独で又は複数の操作子１２ｄを組み合わせて押圧操作されることにより発音する楽音の音高を決定する。また、図１２に示すように、各操作子１２ｄの腕部には、それぞれ小型の磁石１２ｅが固定されている。楽器本体４１０の周面における複数の操作子１２ｄに対向する部分には、フレキシブル基板４１１が貼り付けられている。このフレキシブル基板４１１における磁石１２ｅに対向する部分には、それぞれホールセンサ１２ｆが設けられている。操作子１２ｄを押圧操作し、磁石１２ｅがホールセンサ１２ｆに接近したときに、ホールセンサ１２ｆが磁石１２ｅによる磁気を検出する。これによって、どの操作子１２ｄが操作されたかが検出される。これらの操作子１２ｄ、磁石１２ｅ及びホールセンサ１２ｆが、上記図１の基本構成の演奏操作スイッチ１２に相当する。
【００７３】
楽器本体４１０の裏面上部側には筒状のパネル部４１２が取付けられている。このパネル部４１２には、モード設定用のスイッチ１１ｂ（上記図１の基本構成のパネルスイッチ１１に相当）及びモード設定に利用するための表示器５２ｂ（上記図１の基本構成の表示器５２に相当）が設けられている。また、楽器本体４１０の側面におけるフレキシブル基板４１１よりも下方の位置には、電気回路基板４１３が取付けられている。この電気回路基板４１３には、図１の基本構成におけるピックアップ信号処理回路１７、コンピュータ部３０及びバス４０が設けられている。
【００７４】
ピックアップ信号処理回路１７には、配線４２３を介してタンギングセンサ１５ｆ、リップセンサ１５ｇ及びウィンドセンサ１５ｈからの検出信号が供給されている。そして、ピックアップ信号処理回路１７は、タンギングセンサ１５ｆ、リップセンサ１５ｇ及びウィンドセンサ１５ｈからの各検出信号をディジタル信号に変換してコンピュータ部３０に供給する。また、コンピュータ部３０には、フレキシブル基板４１１に設けたホールセンサ１２ｆからの検出信号、及びパネル部４１２に設けたスイッチ１１ｂからの信号が供給されるとともに、表示器５２ｂに表示信号を供給するようになっている。さらに、電気回路基板４１３には、後述する外部に設けた電気回路から供給されるアナログ楽音信号を配線４２３を介して骨伝導スピーカ２７ｄに供給するようにもなっている。
【００７５】
このサクソフォン４００においては、図１の基本構成中のマイクロフォン１４及びマイク信号処理回路１６は設けられていない。また、図１の基本構成中において前述した電気回路装置１１，１２，１５，１７，２７，３０，４０以外の他の電気回路装置である音源回路１３、ディジタル信号処理回路１８、出力制御回路２１、Ｄ／Ａ変換器２２，２３、増幅器２４，２６、コーンスピーカ２５、記憶装置５１及びインターフェース回路５３は、電気回路基板４１３に電気接続された外部に設けられている。なお、コーンスピーカ２５、記憶装置５１及びインターフェース回路５３以外の前記音源回路１３、ディジタル信号処理回路１８、出力制御回路２１、Ｄ／Ａ変換器２２，２３及び増幅器２４，２６に関しては、前記電気回路基板４１３に設けてもよい。
【００７６】
次に、前記のように構成したサクソフォン４００の動作について説明する。演奏者は、マウスピース本体４２１を口内に含み、操作子１２ｄを押圧操作しながら楽器本体４１０内に息を吹き込む。これにより、タンギングセンサ１５ｆ、リップセンサ１５ｇ及びウィンドセンサ１５ｈからの各検出信号がコンピュータ部３０に供給されるとともに、操作子１２ｄの操作状態がコンピュータ部３０に供給される。コンピュータ部３０は、図３のステップＳ２７にて、前記供給された検出信号及び操作状態に応じて、マニアル演奏音信号の発生を制御する。
【００７７】
具体的には、コンピュータ部３０は、操作子１２ｄの操作状態に応じて、発生される楽音の音高を決定する。また、コンピュータ部３０は、タンギングセンサ１５ｆによって検出された演奏者の舌の接近、リップセンサ１５ｇにより検出されたリード部４２２への押し付け圧力、ウィンドセンサ１５ｈにより検出された息圧を検出に基づいて、楽音の発生開始タイミング、発生終了タイミング及び音量レベル（音量エンベロープ）を決定する。そして、コンピュータ部３０、前記決定した発音音高を表すノートコード（音高情報）、キーオン信号、キーオフ信号及び音量制御信号を音源回路１３に出力する。音源回路１３は、これらの入力した制御信号に応じてサクソフォン音を表すディジタル信号を生成して、ディジタル信号処理回路１８に出力する。
【００７８】
自動演奏音信号の発生、楽音発生モードＭＤなどの他の動作に関しては、上記基本構成において説明した動作と同様である。そして、この種の電子トランペット３００の特有の構成及び作動に関しては、例えば、特開２００５−３１６４１７号公報にも示されている公知の技術である。
【００７９】
このように構成されかつ動作するサクソフォン４００においても、骨伝導スピーカ２７ｄに導かれたマニアル演奏音信号又は自動演奏音信号は、演奏者の歯を介して内耳に伝播される。その結果、上記図１の基本構成をサクソフォン４００に適用した場合にも、上述した場合と同様な発明の効果を得ることができる。
【００８０】
また、このサクソフォン４００においては、図１に示すように、電子式マウスピース４２０を取外して、通常のマウスピース４２０ａを装着すれば、自然楽器であるサクソフォン演奏を行うこともできる。また、クラリネットもサクソフォンと類似の構成を採用しており、前記サクソフォン４００に適用した技術をクラリネットに適用することも可能である。
【００８１】
なお、前記トランペットの場合と同様に、前記基本構成による骨伝導スピーカ２７への信号供給及び信号処理を自然楽器であるサクソフォン又はクラリネッにも適用できる。この場合も、消音器を設け、又は消音器を設けることなく、図１のマイクロフォン１４又はピックアップ装置１５によりピックアップした振動信号（楽器音信号）を、ディジタル信号処理回路１８を介して骨伝導スピーカ２７に演奏音信号として導くようにするとよい。
【００８２】
ｆ．フルート型楽器
次に、上記基本構成を適用したフルート型楽器（以下、単にフルートという）５００について説明する。図１３は、このフルート５００の外観図である。このフルート５００の筺体は、頭管部５０１、主管部５０２及び足管部５０３からなる。主管部５０２及び足管部５０３には、演奏者の手指によって演奏操作される複数の操作子１２ｇが設けられている。操作子１２ｇには、上記サクソフォン４００の場合と同様に、磁石及びホールセンサなどからなる演奏操作検出用の複数のスイッチ（図示しない）が設けられている。これらの複数のスイッチ及び操作子１２ｇが図１の基本構成の演奏操作スイッチ１２に相当する。
【００８３】
頭管部５０１には、唇が接触されるリッププレート５０４が設けられている。リッププレート５０４には、演奏者により呼気を頭管部５０１内に吸い込むための呼気吹入口５０５が設けられている。呼気吹入口５０５の下方のリッププレート５０４の表面には、演奏者の唇によるリッププレート５０４への接触圧を検出するためのアンブッシャセンサ１５ｉが設けられている。リッププレート５０４の裏面には、呼気吹入口５０５に吹き込まれた呼気の圧力を検出するためのブレスセンサ１５ｊが設けられている。これらのアンブッシャセンサ１５ｉ及びブレスセンサ１５ｊは、図１の基本構成のピックアップ装置１５に相当する。
【００８４】
また、リッププレート５０４の表面には、骨伝導スピーカ２７ｅ（上記図１の基本構成の骨伝導スピーカ２７に相当）が、露出した面が振動するように取付けられている。この場合、演奏者が演奏のためにリッププレート５０４に唇を接触させた際に、骨伝導スピーカ２７ｄの振動面が演奏者の唇に当たるようになっている。
【００８５】
このフルート５００においては、図１の基本構成中のマイクロフォン１４及びマイク信号処理回路１６は設けられていない。また、図１の基本構成中において前述した電気回路装置１２，１５，２７以外の他の電気回路装置であるパネルスイッチ１１、音源回路１３、ピックアップ信号処理回路１７、ディジタル信号処理回路１８、出力制御回路２１、Ｄ／Ａ変換器２２，２３、増幅器２４，２６、コーンスピーカ２５、コンピュータ部３０、バス４０、記憶装置５１、表示器５２及びインターフェース回路５３は、外部に設けられている。そして、アンブッシャセンサ１５ｉ及びブレスセンサ１５ｊは、ピックアップ信号処理回路１７に導かれる。ピックアップ信号処理回路１７は、アンブッシャセンサ１５ｉによって検出された唇の接触圧を表す検出アナログ信号、及びブレスセンサ１５ｊによって検出された呼気の圧力を表す検出アナログ信号をディジタル信号に変換して、バス４０を介してコンピュータ部３０に供給する。
【００８６】
次に、前記のように構成したフルート５００の動作について説明する。演奏者は、リッププレート５０４に唇を接触させ、操作子１２ｇを押圧操作しながら頭管部５０１内に呼気を吹き込む。これにより、アンブッシャセンサ１５ｉ及びブレスセンサ１５ｊからの各検出信号がコンピュータ部３０に供給されるとともに、操作子１２ｇの操作状態がコンピュータ部３０に供給される。コンピュータ部３０は、図３のステップＳ２７にて、前記供給された検出信号及び操作状態に応じて、マニアル演奏音信号の発生を制御する。
【００８７】
具体的には、コンピュータ部３０は、アンブッシャセンサ１５ｉによって検出された唇の接触圧及び操作子１２ｇの操作状態に応じて、発生される楽音の音高を決定する。すなわち、コンピュータ部３０は、操作子１２ｇの操作組み合わせ状態に応じて音名を決定する。そして、前記唇の接触圧が所定値よりも小さいときには、前記決定された音名を有する所定のオクターブ（標準的なオクターブ）の音高を最終的に決定する。一方、前記唇の接触圧が所定値以上であるときには、前記決定された音名を有する前記所定のオクターブよりも１オクターブ高い音高を最終的に決定する。また、これと同時に、コンピュータ部３０は、ブレスセンサ１５ｊによって検出された呼気の検出圧力に基づいて、楽音の発生開始タイミング、発生終了タイミング及び音量レベル（音量エンベロープ）を決定する。そして、コンピュータ部３０、前記決定した発音音高を表すノートコード（音高情報）、キーオン信号、キーオフ信号及び音量制御信号を音源回路１３に出力する。音源回路１３は、これらの入力した制御信号に応じてフルート音を表すディジタル信号を生成して、ディジタル信号処理回路１８に出力する。
【００８８】
自動演奏音信号の発生、楽音発生モードＭＤなどの他の動作に関しては、上記基本構成において説明した動作と同様である。そして、この種のフルート５００の特有の構成及び作動に関しては、例えば、特開２００７−１７１４７７号公報及び特開平１１−８５１５９号公報にも示されている公知の技術である。
【００８９】
このように構成されかつ動作するフルート５００においても、骨伝導スピーカ２７ｅに導かれたマニアル演奏音信号又は自動演奏音信号は、演奏者の唇及び顎骨を介して内耳に伝播される。その結果、上記図１の基本構成をフルート５００に適用した場合にも、上述した場合と同様な発明の効果を得ることができる。
【００９０】
ｇ．リコーダ型楽器
次に、上述した基本構成を適用したリコーダ型楽器（以下、単にリコーダという）６００について説明する。図１４は、このリコーダ６００の外観図である。このリコーダ６００の筺体は、頭部管６０１、中部管６０２及び足部管６０３からなる。頭部管６０１の前端には、演奏者が息を吹き込む唄口６０４が設けられている。中部管６０２には、演奏者によって開閉される複数の音孔６０５が設けられている。
【００９１】
また、頭部管６０１の前端部の上面には、骨伝導スピーカ２７ｆ（上記図１の基本構成の骨伝導スピーカ２７に相当）が、露出した面が振動するように取付けられている。この場合、演奏者が演奏のために唄口６０４を口内に入れた際に、骨伝導スピーカ２７ｆの振動面が演奏者の唇又は歯に当たるようになっている。
【００９２】
このリコーダ６００においては、図１の基本構成中の演奏操作スイッチ１２、ピックアップ装置１５及びピックアップ信号処理回路１７は設けられていない。また、図１の基本構成中における他の電気回路装置であるパネルスイッチ１１、音源回路１３、マイクロフォン１４、マイク信号処理回路１６、ディジタル信号処理回路１８、出力制御回路２１、Ｄ／Ａ変換器２２，２３、増幅器２４，２６、コーンスピーカ２５、コンピュータ部３０、バス４０、記憶装置５１及びインターフェース回路５３は、外部に設けられている。したがって、外部に設けられた増幅器２７からのアナログ信号が骨伝導スピーカ２７ｆに供給されるようになっている。
【００９３】
次に、前記のように構成したリコーダ６００の動作について説明する。演奏者は、唄口６０４を口内に入れ、複数の音孔６０５の開閉操作しながら、息を吹き込む唄口６０４が設けられている。これにより、リコーダ６００からは、複数の音孔６０５の開閉状態の組み合わせに応じた音高の楽音が発生される。そして、この発生された楽音は、マイクロフォン１４によって検出される。他の自動演奏音信号の発生、楽音発生モードＭＤなどの動作に関しては、上記基本構成において説明した動作と同様である。そして、この種のリコーダ６００の特有の構成及び作動に関しては、例えば、特開２００７−２０２８８７号公報にも示されている公知の技術である。
【００９４】
このように構成されかつ動作するリコーダ６００においても、骨伝導スピーカ２７ｆに導かれたマニアル演奏音信号又は自動演奏音信号は、演奏者の唇及び歯を介して内耳に伝播される。その結果、上記図１の基本構成をリコーダ６００に適用した場合にも、上述した場合と同様な発明の効果を得ることができる。
【００９５】
上記のように、リコーダ６００の場合には、図１の基本構成の骨伝導スピーカ２７以外の電気回路装置については、楽器の外部に配置するようにした。このような構成は、上述したｂ〜ｆで説明した弦楽器及び管楽器でも採用することができる。
【００９６】
特に、自然楽器に本発明を適用する場合には、この構成が有効である。ただし、この場合でも、マイクロフォン１４又は演奏音信号をピックアップするためのピックアップ装置１５（すなわち、ピックアップ信号処理回路１７を介してディジタル信号処理回路１８に直接供給される信号をピックアップするためのピックアップ装置１５）を楽器に組付けることが可能であれば、そのようにするとよい。さらに、自動演奏音信号を骨伝導スピーカ２７に導かず、マニアル演奏音信号のみを骨伝導スピーカ２７に導く場合には、マイクロフォン１４又は演奏音信号をピックアップするためのピックアップ装置１５によってピックアップした演奏音信号を、マイク信号処理回路１６、ピックアップ信号処理回路１７、ディジタル信号処理回路１８、出力制御回路２１及びＤ／Ａ変換器２３も省略して、増幅器２３を介して直接的に骨伝導スピーカ２７に導くようにするとよい。
【００９７】
ｈ．その他の変形例
さらに、本発明の実施にあたっては、上記実施形態に限定されるものではなく、本発明の目的を逸脱しない限りにおいて種々の変更が可能である。
【００９８】
上記各種実施形態及び変形例においては、自動演奏音として、各種パートの演奏音、自動伴奏音、自動リズム音などを採用した。しかし、これに代えて、自動演奏音として、他の楽器の演奏音を入力したり、録音した演奏音を再生したりしてもよい。さらに、テンポを示す音、メトロノーム音等を表す信号を骨伝導スピーカ２７に導いて、骨伝導スピーカ２７を介して楽器の演奏テンポを演奏者に知らせるようにしてもよい。
【００９９】
また、上記各種実施形態及び変形例においては、バイオリン、ビオラ、チェロ、コントラバス、トランペット、サクソフォン、クラリネット、フルート及びリコーダに本発明を適用した例について説明した。しかし、演奏者が演奏操作する際に身体の一部が接触し又は身体の一部を接触させ得る位置に骨伝導スピーカ２７を設けることができれば、前記以外の如何なる楽器にも適用できる。また、骨伝導スピーカ２７を接触させる身体の位置に関しても、上述した例以外に、顔のおでこ、頭部、手などの身体の他の位置であってもよい。
【０１００】
また、上記各種実施形態及び変形例においては、骨伝導スピーカの取付け位置は固定されていた。しかし、これに代えて、骨伝導スピーカを楽器に着脱可能に設けるようにしておいて、演奏者又は他の者が骨伝導スピーカを演奏者の最適な位置に取付けるようにしてもよい。
【図面の簡単な説明】
【０１０１】
【図１】本発明の楽器に付随する基本構成に係る電気回路装置のブロック図である。
【図２】図１のコンピュータ部により実行されるメインプログラムを示すフローチャートである。
【図３】前記メインプログラム中の演奏処理ルーチンの詳細を示すフローチャートである。
【図４】図１のコンピュータ部により実行されるカウント値更新プログラムを示すフローチャートである。
【図５】曲データのフォーマット図である。
【図６】(Ａ)は前記基本構成を適用した電気バイオリンの平面図であり、(Ｂ)は前記電気バイオリンに備えられた弓の側面図であり、(Ｃ)は前記電気バイオリンの演奏状態を示す概略斜視図である。
【図７】前記基本構成を適用した大型弦楽器の演奏状態を示す概略斜視図である。
【図８】前記基本構成を適用した電子トランペットの概略斜視図である。
【図９】発生楽音の音高を決定するための演奏ピストンと音声の周波数との関係を示す図である。
【図１０】サクソフォンの概略斜視図である。
【図１１】前記サクソフォンの電子式マウスピースを示す斜視図である。
【図１２】磁石とホールセンサとの位置関係を示す部分斜視図である。
【図１３】フルートの外観図である。
【図１４】リコーダの外観図である。
【符号の説明】
【０１０２】
１１…パネルスイッチ、１２…演奏操作スイッチ、１２ａ〜１２ｃ…演奏ピストン、１２ｄ，１２ｇ…操作子、１２ｅ…磁石、１２ｆ…ホールセンサ、１３…音源回路、１４…マイクロフォン、１５，１５ａ，１５ｂ，１５ｃ，１５ｄ，１５ｅ…ピックアップ装置、１５ｆ…タンギングセンサ、１５ｇ…リップセンサ、１５ｈ…ウィンドセンサ、１５ｉ…アンブッシャセンサ、１５ｊ…ブレスセンサ、２１…出力制御回路、２５…コーンスピーカ、２７，２７ａ，２７ｂ，２７ｃ，２７ｄ，２７ｅ、２７ｆ…骨伝導スピーカ、３０…コンピュータ部、１００…電気バイオリン、２００…大型弦楽器、３００…電子トランペット、４００…サクソフォン、５００…フルート、６００…リコーダ。
【図１】
2010066640.tif 000003
【図２】
2010066640.tif 000004
【図３】
2010066640.tif 000005
【図４】
2010066640.tif 000006
【図５】
2010066640.tif 000007
【図６】
2010066640.tif 000008
【図７】
2010066640.tif 000009
【図８】
2010066640.tif 000010
【図９】
2010066640.tif 000011
【図１０】
2010066640.tif 000012
【図１１】
2010066640.tif 000013
【図１２】
2010066640.tif 000014
【図１３】
2010066640.tif 000015
【図１４】
2010066640.tif 000016